(57)【要約】      （修正有）【課題】管路又はケーブルの止水固定装置において、装着性と材料強度を改善する。【解決手段】２枚の分割環状フランジ５で分割環状弾性体４ａ，４ｂ，４ｃを挟持し、該分割環状フランジ間に挿通されたボルト６２を、ボックスレンチ７１，７２を用いて締めつけることによって、該環状弾性体を圧縮変形させて、管路又はケーブル３をコンクリート壁内の鞘管２又はコンクリート壁貫通孔内面に固定し、分割環状フランジが金属または強化プラスチックで形成されており、膨出部４０が鞘管内面またはコンクリート壁貫通孔内面及びケーブルに押圧され、鞘管内面又はコンクリート壁貫通孔内面とケーブルとの間隙を完全に水密状態に保持する。【選択図】図１
2016073181.tif 000002
【特許請求の範囲】
【請求項１】
２枚の分割環状フランジで分割環状弾性体を挟持し、該分割環状フランジ間に挿通されたボルトをレンチを用いて締めつけることによって該分割環状弾性体を圧縮変形させ、該分割環状弾性体の外周及び内周を膨出させ、鞘管内面またはコンクリート壁貫通孔内面に水密状態に固定することを特徴とする管路またはケーブル止水固定装置。
【請求項２】
分割環状フランジ及び分割環状弾性体の分割面をずらして既存の管路又はケーブルに装着して、鞘管又はコンクリート壁貫通孔に挿通し、次いで該分割環状フランジ及び該分割環状弾性体に挿通されたボルトを締め付けて該分割環状弾性体を圧縮変形させ、該分割環状弾性体の外周及び内周を膨出させ、管路又はケーブルを鞘管内面またはコンクリート壁貫通孔内面に水密状態に固定することを特徴とする請求項１記載の管路またはケーブル止水固定装置。
【請求項３】
２枚の分割環状フランジが金属または強化プラスチックで形成されており、該分割環状フランジで挟持される分割環状弾性体は、合成ゴム、半加硫ゴム、エラストマー材又は水膨張性ゴムからなる積層体で構成されていることを特徴とする請求項１記載の管路またはケーブル止水固定装置。
【請求項４】
マンホール又は縦坑コンクリート壁に形成されるコンクリート壁貫通孔に、ケーブルを保持する分割環状弾性体を挿通して押圧する際、該分割環状弾性体の周縁部がコンクリート壁貫通孔の内面に三次元状に変形して押圧され、水密状に保持されることを特徴とする請求項１記載の管路またはケーブル止水固定装置。
【発明の詳細な説明】
【技術分野】
【０００１】  本発明は管路またはケーブルの止水固定装置に関し、特にトンネル仕切鋼板に形成された鞘管に挿通される管路またはケーブルの止水固定装置、または、直接コンクリート壁貫通孔に挿通される管路またはケーブルの止水固定装置に関する。
【背景技術】
【０００２】  従来、ガス管、上下水道管、電線管、光ケーブル、通信ケーブル等の配管がコンクリート壁等に埋め込まれる場合に管路と鞘管との止水固定装置では、管路と鞘管との間に装着される水膨張性ゴムやエラストマー材または非水膨張性ゴムやエラストマー材等よりなる環状の止水パッキン材が一体成形されているものがあった。
【先行技術文献】
【０００３】
【特許文献１】  特開２００５−２８２７６３号公報
【特許文献２】  特公平７−１１４５３０号公報
【発明の概要】
【０００４】
【発明が解決しようとする課題】
【０００５】  前記せる特開２００５−２８２７６３号公報では、管路と鞘管との間に装着される水膨張性ゴムやエラストマー材または非水膨張性ゴムやエラストマー材等よりなる環状の止水パッキン材が一体成形されているものであった【０００６】  そのため、装着の作業性が悪く、材料強度も弱く、水圧に負けて鞘管内に流れてしまい止水効果がなく、接着面の汚れや残骸がのこるものであった。【０００７】  また、前記せる特公平７−１１４５３０号公報では、管路内に挿通する線材における管路口部分の外周面に、半加硫ゴムを巻き付けるとともに、その半加硫ゴムの両端側にそれぞれリング状のパッキンを取付けて、管路内におけるパッキン間を閉塞し、その状態で、両パッキン、半加硫ゴムおよび管路の壁面とで囲われる空間に管路取水材形成材料を充填し硬化させることにより、上記半加硫ゴムを線材に密着させ、管路の止水する構成であった。【０００８】  この場合も、半加硫ゴムの巻き付けや管路取水材形成材料を充填し硬化等の作業性が悪く、材料強度も弱く、水圧に負けて鞘管内に流れてしまい、止水効果がなく、接着面の汚れや残骸がのこるものであった。
【課題を解決するための手段】
【０００９】  前記せる課題を解決するために、本発明は以下のように構成されている。
２枚の分割環状フランジで分割環状弾性体を挟持し、該分割環状フランジ間に挿通されたボルトをレンチを用いて締めつけることによって該分割環状弾性体を圧縮変形させて鞘管内面またはコンクリート壁貫通口内面に水密状態に固定することを特徴とし、分割環状フランジ及び分割環状弾性体の分割面をずらして既存の管路又はケーブルに装着して、鞘管又はコンクリート壁貫通口に挿通し、次いで該分割環状フランジ及び該分割環状弾性体に挿通されたボルトを締め付けて該分割環状弾性体を圧縮変形させて膨出させ、管路又はケーブルを鞘管内面またはコンクリート壁貫通口内面に水密状態に固定することを特徴とし、２枚の分割環状フランジが金属または強化プラスチックで形成されており、該分割環状フランジで挟持される分割環状弾性体が、合成ゴム、半加硫ゴム、ブチルゴム、エラストマー材又は水膨張性ゴムからなる積層体で構成されていることを特徴とし、且つ、マンホール又は縦坑コンクリート壁に形成されるコンクリート壁貫通孔に、ケーブルを保持する分割環状弾性体を挿通して押圧する際、該分割環状弾性体の周縁部がコンクリート壁貫通孔の内面に三次元状に変形されて水密状に保持されることを特徴とする管路またはケーブル止水固定装置を提供する。
【発明の効果】
【００１０】  本発明の管路またはケーブルの止水固定装置に於いては、２枚の分割環状フランジで挟持された分割環状弾性体にケーブルを挿通した状態で、コンクリート壁に固定された鞘管内へ仮止めし、次いで、環状フランジ間に挿通された複数のボルトをレンチを用いて順次締めつける簡単な操作によって、分割環状弾性体を圧縮変形させて鞘管やコンクリート壁貫通孔に水密状に固定することができる。【００１１】  また、分割環状弾性体は、合成ゴム、半加硫ゴム、ブチルゴム、エラストマー材又は水膨張性ゴムからなる積層体で構成されているので、分割環状フランジ間に挿通された複数のボルトを順次締めつけることにより圧縮変形される環状弾性体の合成ゴム、半加硫ゴム、ブチルゴム、エラストマー材又は水膨張性ゴムが、鞘管内面又はコンクリート壁貫通口内面に押圧され、環状弾性体の内周の環状ブチルゴムが管路またはケーブルに押圧されて固定されると共に、完全に水密状態に保持することができる。【００１２】  また、マンホール又は縦坑コンクリート壁に形成されるコンクリート壁貫通孔に、ケーブルを保持する分割環状弾性体を挿通して押圧する際は、該分割環状弾性体の周縁部がコンクリート壁貫通孔の内面に三次元状に変形されて水密状に保持されるので、三次元状のシーリング材としての用途が生じている。
【図面の簡単な説明】
【００１３】
【図１】  鞘管内の止水固定装置の長手方向縦断面図である。
【図２】  図１の分解斜視図である。
【図３】  鞘管にケーブルを挿通した斜視図である。
【図４】  止水固定装置の正面図である。
【図５】  コンクリート壁貫通孔にケーブルを挿通した斜視図である。
【図６】  コンクリート壁貫通孔内の止水固定装置の長手方向縦断面図である。
【図７】  コンクリート壁貫通孔内の止水固定装置の水平方向断面図である。
【図８】  従来の鞘管内の止水固定装置の長手方向縦断面図である。
【発明を実施するための形態】
【００１４】  図１乃至図４に示すように、２枚の分割環状フランジ５，５で分割環状弾性体４ａ、４ｂ、４ｃを挟持し、該分割環状フランジ５、５間に挿通されたボルト６１，６２，６３，６４をレンチ７１，７２を用いて締めつけることによって該分割環状弾性体４ａ、４ｂ、４ｃを圧縮変形させて鞘管２の内面またはコンクリート壁貫通孔１０１の内面のケーブル３を水密状態に固定することができる。
【００１５】  図２乃至図４に示すように、分割環状フランジ５，５の分割面５１及び分割環状弾性体４ａ、４ｂ、４ｃの分割面４１をずらして既存の管路又はケーブル３に装着して、鞘管２又はコンクリート壁貫通孔１０１に挿通し、次いで該分割環状フランジ５，５及び該分割環状弾性体４ａ、４ｂ、４ｃに挿通されたボルト６１，６２，６３，６４を締め付けて該分割環状弾性体４ａ、４ｂ、４ｃを圧縮変形させて分割環状弾性体４ａ、４ｂ、４ｃの外周または内周を膨出させ、管路又はケーブル３を鞘管２の内面またはコンクリート壁貫通孔１０１の内面に水密状態に固定することができる。
【００１６】  図１乃至図２に示す２枚の分割環状フランジ５，５は金属または強化プラスチックで形成されており、該分割環状フランジ５，５で挟持される分割環状弾性体４ａ、４ｂ、４ｃは合成ゴム、半加硫ゴム、エラストマー材又は水膨張性ゴムから選ばれた積層体で構成されている。
【００１７】  例えば、分割環状弾性体４ａと分割環状弾性体４ｃとを合成ゴム又はエラストマー材で構成し、分割環状弾性体４ｂ  をブチルゴム又は水膨張性ゴムで構成することができる。
【００１８】また、図６乃至図７に示されるように、コンクリート製のマンホール又は縦坑のコンクリート壁１００に形成されるコンクリート壁貫通孔１０１に、ケーブル３を保持する分割環状弾性体４ａ、４ｂ、４ｃを挿通して押圧する際、該分割環状弾性体４ａ、４ｂ、４ｃの周縁部がコンクリート壁貫通孔１０１の内面に三次元状に変形されて水密状に保持される。
【００１９】  なお、図８は従来の鞘管２内の止水固定装置の長手方向縦断面図であるが、鞘管２内に弾性材９１，９２を収納し、更に弾性材９３を突出させて鞘管に挿入して鞘管２の側面より止めネジ８、８で弾性座９１，９２，９３を保持するものであったが、弾性材を分割して組み合わせて既設のケーブルに止水装置を取り付けることができなかった。
【産業上の利用可能性】
【００２０】  以上説明したような本発明の管路又はケーブル止水固定装置は、前記の従来例では不可能であった既存ケーブルへの止水固定装置の装着を可能にした発明であって、分割環状フランジ５，５及び分割環状弾性体４ａ、４ｂ、４ｃを採用したことに新規性を有し、更に三次元のシーリング材としての用途が得られているので、産業上の利用可能性の高いものである。
【符号の説明】
【００２１】    １  仕切鋼板
１０  止水固定装置
１００  コンクリート壁
１０１  コンクリート壁貫通孔
２  鞘管
３  ケーブル
４ａ  分割環状弾性体
４ｂ  分割環状弾性体
４ｃ  分割環状弾性体
４０  膨出部
４１  分割面
４２  ボルト挿通孔
５  分割環状フランジ
５１  分割面
５２  ボルト挿通孔
６１  ボルト
６２  ボルト
６３  ボルト
６４  ボルト
７１  ボックスレンチ
７２  ボックスレンチ
８  止めネジ
９１  弾性体
９２  弾性体
９３  弾性体
【図１】
2016073181.tif 000003
【図２】
2016073181.tif 000004
【図３】
2016073181.tif 000005
【図４】
2016073181.tif 000006
【図５】
2016073181.tif 000007
【図６】
2016073181.tif 000008
【図７】
2016073181.tif 000009
【図８】
2016073181.tif 000010